(57)【要約】      （修正有）【課題】打設精度と施工効率を向上させた鋼矢板の打設方法を提供する。【解決手段】鋼矢板２０を継手部でお互いに連結させて一列状に複数打設する鋼矢板の打設方法であって、２つの端部領域の鋼矢板２０を先行して打設する先行打設工程と、ガイド矢板を、前記２つの端部領域の間に位置する中央部領域に、ガイド矢板の継手部でお互いに連結させて一列状に複数配置するとともに、一列状に複数配置するガイド矢板のうち両端部に配置するガイド矢板の継手部を、前記２つの端部領域に先行して打設された鋼矢板２０のうち前記一列状の中央部に向かう側の端部の鋼矢板２０の継手部にそれぞれ連結させて配置するガイド矢板配置工程と、前記ガイド矢板配置工程で配置した複数のガイド矢板を、幅方向断面がガイド矢板と略同一である本設の鋼矢板２０に順次置き換えて打設する置き換え打設工程と、を有する。【選択図】図１
2019056227.tif 000002
【特許請求の範囲】
【請求項１】
幅方向の両方の端部に継手部を備えた鋼矢板を、前記継手部でお互いに連結させて一列状に複数打設する鋼矢板の打設方法であって、
一列状に複数打設する鋼矢板のうち、それらの両端部に位置する鋼矢板をそれぞれ含むとともに、それらの両端部から前記一列状の中央部に向かってそれぞれ所定の枚数の鋼矢板を含む２つの端部領域の鋼矢板を先行して打設する先行打設工程と、
前記先行打設工程で先行して打設された前記鋼矢板の長さよりも長さが短く、かつ、幅方向の両方の端部に継手部を備えたガイド矢板を、前記２つの端部領域の間に位置する中央部領域に、前記ガイド矢板の前記継手部でお互いに連結させて一列状に複数配置するとともに、一列状に複数配置する前記ガイド矢板のうち両端部に配置する前記ガイド矢板の前記継手部を、前記２つの端部領域に先行して打設された前記鋼矢板のうち前記一列状の中央部に向かう側の端部の鋼矢板の前記継手部にそれぞれ連結させて配置するガイド矢板配置工程と、
前記ガイド矢板配置工程で配置した前記複数のガイド矢板を、幅方向断面が前記ガイド矢板と略同一である本設の鋼矢板に順次置き換えて打設する置き換え打設工程と、
を有することを特徴とする鋼矢板の打設方法。
【請求項２】
前記一列状に複数打設する鋼矢板の幅方向断面は、略同一であることを特徴とする請求項１に記載の鋼矢板の打設方法。
【請求項３】
前記置き換え打設工程においては、前記ガイド矢板配置工程で配置した前記複数のガイド矢板のうちの一部のガイド矢板であってお互いに隣り合っていないガイド矢板を選んで前記本設の鋼矢板に置き換えて打設する工程が含まれていることを特徴とする請求項１または２に記載の鋼矢板の打設方法。
【請求項４】
前記置き換え打設工程においては、前記ガイド矢板配置工程で配置した前記複数のガイド矢板のうちの一部のガイド矢板であって１つ飛ばしに配置されたガイド矢板を選んで前記本設の鋼矢板に置き換えて打設する工程が含まれていることを特徴とする請求項３に記載の鋼矢板の打設方法。
【請求項５】
前記置き換え打設工程においては、前記ガイド矢板配置工程で配置した前記複数のガイド矢板のうちの一部のガイド矢板であって２つ飛ばしに配置されたガイド矢板を選んで前記本設の鋼矢板に置き換えて打設する工程が含まれていることを特徴とする請求項３に記載の鋼矢板の打設方法。
【請求項６】
前記一列状に複数打設する鋼矢板の両端部の位置は、予め決められていることを特徴とする請求項１〜５のいずれかに記載の鋼矢板の打設方法。
【請求項７】
前記鋼矢板の幅方向断面は、略直線形状であることを特徴とする請求項１〜６のいずれかに記載の鋼矢板の打設方法。
【請求項８】
前記一列状に複数打設する鋼矢板のうちの少なくとも一部の鋼矢板は、曲線状に列を形成していることを特徴とする請求項１〜７のいずれかに記載の鋼矢板の打設方法。
【請求項９】
前記鋼矢板の前記継手部の遊びが８ｍｍ以上１２ｍｍ以下であることを特徴とする請求項１〜８のいずれかに記載の鋼矢板の打設方法。
【請求項１０】
前記ガイド矢板が前記ガイド矢板配置工程で地盤に配置された状態において、前記ガイド矢板の上端の高さ位置は、当該ガイド矢板に対して作業を行う作業者の足場面よりも１ｍ以上２ｍ以下だけ高い位置であることを特徴とする請求項１〜９のいずれかに記載の鋼矢板の打設方法。
【発明の詳細な説明】
【技術分野】
【０００１】
本発明は、鋼矢板の打設方法に関し、詳細には、本設の鋼矢板ではないガイド矢板を用いることにより打設精度と施工効率を向上させた鋼矢板の打設方法に関する。
【背景技術】
【０００２】
アーク矢板ジャケット工法は、図２４に示されるように、ジャケット式桟橋３００と土留め壁１００を一体化した岸壁の構築工法であるが、土留め壁１００を、直線形鋼矢板１０２を円弧（アーク）状に打設してなる鋼矢板セル式土留めのアーク矢板１０４と、サドルプレート１０６によって構成している（例えば、非特許文献１参照）。アーク矢板１０４とサドルプレート１０６で構成される土留め壁１００の施工においては、アーク矢板１０４を確実に閉合することが必要であり、そのためには、個々の直線形鋼矢板１０２を高い精度で打設することが必要である（例えば、非特許文献２参照）。
【０００３】
また、非特許文献２においては、「左右から最終根入れまで打ち下げて、残りの中央部の数枚を交互に屏風打設して打ち下げる方法」（具体的には、両端のサドルプレートから左右４枚ずつ中央に向けて打設した後、中央部で残り５枚の矢板を建て込み、両端の矢板から順に少しずつ打ち下げる作業を繰り返し、所定の深度まで打ち込む屏風打ちを行う方法。）を採用することで、アーク矢板１０４を円滑に閉合できた旨が報告されている。
【０００４】
しかしながら、アーク矢板ジャケット工法において、アーク矢板をより高い打設精度で打設するとともに、より高い施工効率を実現することがさらに求められている。
【０００５】
また、アーク矢板ジャケット工法に限らず、鋼矢板を打設する工事全般において、鋼矢板の打設精度と施工効率を向上させることが望まれている。
【先行技術文献】
【非特許文献】
【０００６】
【非特許文献１】高橋久雄、外５名、「アーク矢板ジャケット工法におけるアーク矢板打設の試験施工」、平成２８年度土木学会全国大会 第７１回年次学術講演会 講演概要集、平成２８年９月、VI-628、p.1255 - 1266
【非特許文献２】高橋久雄、外５名、「アーク矢板ジャケット工法におけるアーク矢板土留めの本施工」、平成２８年度土木学会全国大会 第７１回年次学術講演会 講演概要集、平成２８年９月、VI-627、p. 1253 - 1254
【発明の概要】
【発明が解決しようとする課題】
【０００７】
本発明は、かかる状況に鑑みてなされたものであり、打設精度と施工効率を向上させた鋼矢板の打設方法を提供することを課題とする。
【課題を解決するための手段】
【０００８】
本発明は、以下の鋼矢板の打設方法により、前記課題を解決したものである。
【０００９】
即ち、本発明に係る鋼矢板の打設方法は、幅方向の両方の端部に継手部を備えた鋼矢板を、前記継手部でお互いに連結させて一列状に複数打設する鋼矢板の打設方法であって、一列状に複数打設する鋼矢板のうち、それらの両端部に位置する鋼矢板をそれぞれ含むとともに、それらの両端部から前記一列状の中央部に向かってそれぞれ所定の枚数の鋼矢板を含む２つの端部領域の鋼矢板を先行して打設する先行打設工程と、前記先行打設工程で先行して打設された前記鋼矢板の長さよりも長さが短く、かつ、幅方向の両方の端部に継手部を備えたガイド矢板を、前記２つの端部領域の間に位置する中央部領域に、前記ガイド矢板の前記継手部でお互いに連結させて一列状に複数配置するとともに、一列状に複数配置する前記ガイド矢板のうち両端部に配置する前記ガイド矢板の前記継手部を、前記２つの端部領域に先行して打設された前記鋼矢板のうち前記一列状の中央部に向かう側の端部の鋼矢板の前記継手部にそれぞれ連結させて配置するガイド矢板配置工程と、前記ガイド矢板配置工程で配置した前記複数のガイド矢板を、幅方向断面が前記ガイド矢板と略同一である本設の鋼矢板に順次置き換えて打設する置き換え打設工程と、を有することを特徴とする鋼矢板の打設方法である。
【００１０】
ここで、鋼矢板の「幅方向」とは、鋼矢板として地盤に打設された状態において地盤面から立ち上がる方向と直交する方向で、かつ、当該鋼矢板の面内方向（当該鋼矢板が形成する壁面内の方向）のことである。
【００１１】
また、ガイド矢板の「幅方向」とは、ガイド矢板として地盤に配置された状態において地盤面から立ち上がる方向と直交する方向で、かつ、当該ガイド矢板の面内方向（当該ガイド矢板が形成する壁面内の方向）のことである。
【００１２】
また、鋼矢板の幅方向断面とは、鋼矢板として地盤に打設された状態において、当該鋼矢板が地盤面から立ち上がる方向と直交する平面で当該鋼矢板を切断して得られる断面のことであり、ガイド矢板の幅方向断面とは、ガイド矢板として地盤に配置された状態において、当該ガイド矢板が地盤面から立ち上がる方向と直交する平面で当該ガイド矢板を切断して得られる断面のことである。
【００１３】
また、ガイド矢板と該ガイド矢板と置き換える本設の鋼矢板の幅方向断面が略同一であるとは、作製時等の誤差以外は同一ということであり、実質的に同一の幅方向断面とみなせるということである。
【００１４】
前記一列状に複数打設する鋼矢板の幅方向断面は、略同一であってもよい。
【００１５】
ここで、鋼矢板の幅方向断面が略同一であるとは、作製時等の誤差以外は同一ということであり、実質的に同一の幅方向断面とみなせるということである。
【００１６】
前記置き換え打設工程においては、前記ガイド矢板配置工程で配置した前記複数のガイド矢板のうちの一部のガイド矢板であってお互いに隣り合っていないガイド矢板を選んで前記本設の鋼矢板に置き換えて打設する工程が含まれていてもよい。
【００１７】
前記置き換え打設工程においては、前記ガイド矢板配置工程で配置した前記複数のガイド矢板のうちの一部のガイド矢板であって１つ飛ばしに配置されたガイド矢板を選んで前記本設の鋼矢板に置き換えて打設する工程が含まれていてもよい。
【００１８】
前記置き換え打設工程においては、前記ガイド矢板配置工程で配置した前記複数のガイド矢板のうちの一部のガイド矢板であって２つ飛ばしに配置されたガイド矢板を選んで前記本設の鋼矢板に置き換えて打設する工程が含まれていてもよい。
【００１９】
前記一列状に複数打設する鋼矢板の両端部の位置は、予め決められていてもよい。
【００２０】
前記鋼矢板の幅方向断面は、略直線形状であってもよい。
【００２１】
ここで、鋼矢板の幅方向断面が略直線形状であるとは、継手部等の細部の形状を除けば、全体として直線形状であると判断できるということである。
【００２２】
前記一列状に複数打設する鋼矢板のうちの少なくとも一部の鋼矢板は、曲線状に列を形成していてもよい。
【００２３】
前記鋼矢板の前記継手部の遊びが８ｍｍ以上１２ｍｍ以下であってもよい。
【００２４】
ここで、「前記鋼矢板の前記継手部の遊び」とは、連結される２つの前記鋼矢板の幅方向の嵌合余裕代のことであり、具体的には、前記継手部でお互いに連結された２つの前記鋼矢板に、幅方向に引張力を加えた場合と幅方向に圧縮力を加えた場合における、前記連結された２つの前記鋼矢板の幅方向の長さの差のことである。
【００２５】
前記ガイド矢板が前記ガイド矢板配置工程で地盤に配置された状態において、前記ガイド矢板の上端の高さ位置は、当該ガイド矢板に対して作業を行う作業者の足場面よりも１ｍ以上２ｍ以下だけ高い位置であることが好ましい。
【発明の効果】
【００２６】
本発明に係る鋼矢板の打設方法によれば、打設精度と施工効率を向上させることができる。
【図面の簡単な説明】
【００２７】
【図１】本発明の第１実施形態および第２実施形態に係る鋼矢板の打設方法を用いて打設を行う直線形鋼矢板２０の打設位置および配置状況を模式的に示す平面図
【図２】直線形鋼矢板２０の幅方向断面を示す拡大断面図
【図３】直線形鋼矢板２０についての弱軸回りの方向および強軸回りの方向を模式的に示した図
【図４】図２および図５のＩＶ−ＩＶ線断面図であり、取り付け治具３２の部位を拡大して示す拡大側断面図
【図５】図２および図４のＶ−Ｖ線断面図であり、取り付け治具３２の部位を拡大して示す拡大正断面図
【図６】４つの直線形鋼矢板２０が、継手部２０Ａを介してお互いに連結している状況を示す幅方向断面図
【図７】本発明の第１実施形態に係る鋼矢板の打設方法の特徴的な各段階のうちの１つの段階を模式的に示す図
【図８】本発明の第１実施形態に係る鋼矢板の打設方法の特徴的な各段階のうちの１つの段階を模式的に示す図
【図９】本発明の第１実施形態に係る鋼矢板の打設方法の特徴的な各段階のうちの１つの段階を模式的に示す図
【図１０】本発明の第１実施形態に係る鋼矢板の打設方法の特徴的な各段階のうちの１つの段階を模式的に示す図
【図１１】本発明の第１実施形態に係る鋼矢板の打設方法の特徴的な各段階のうちの１つの段階を模式的に示す図
【図１２】本発明の第１実施形態に係る鋼矢板の打設方法の特徴的な各段階のうちの１つの段階を模式的に示す図
【図１３】４つのガイド矢板２４が、継手部２４Ａを介してお互いに連結している状況を示す幅方向断面図
【図１４】非特許文献２で報告されている工事における中央部領域（打設位置５〜９）への本設の直線形鋼矢板２０の建て込み状況を模式的に示す図
【図１５】非特許文献２で報告されている工事において、中央部領域（打設位置５〜９）に建て込んだ本設の直線形鋼矢板２０を干渉が生じない範囲内で少しずつ（３００ｍｍずつ）打ち下げる作業を行っている状況を模式的に示す図
【図１６】本発明の第２実施形態に係る鋼矢板の打設方法の特徴的な各段階のうちの１つの段階を模式的に示す図
【図１７】本発明の第２実施形態に係る鋼矢板の打設方法の特徴的な各段階のうちの１つの段階を模式的に示す図
【図１８】本発明の第２実施形態に係る鋼矢板の打設方法の特徴的な各段階のうちの１つの段階を模式的に示す図
【図１９】本発明の第２実施形態に係る鋼矢板の打設方法の特徴的な各段階のうちの１つの段階を模式的に示す図
【図２０】本発明の第２実施形態に係る鋼矢板の打設方法の特徴的な各段階のうちの１つの段階を模式的に示す図
【図２１】本発明の第２実施形態に係る鋼矢板の打設方法の特徴的な各段階のうちの１つの段階を模式的に示す図
【図２２】本発明の第２実施形態に係る鋼矢板の打設方法の特徴的な各段階のうちの１つの段階を模式的に示す図
【図２３】本発明の第２実施形態に係る鋼矢板の打設方法の特徴的な各段階のうちの１つの段階を模式的に示す図
【図２４】アーク矢板ジャケット工法について模式的に示す斜視図
【発明を実施するための形態】
【００２８】
以下、図面を参照しつつ、本発明の第１実施形態および第２実施形態に係る鋼矢板の打設方法について詳細に説明する。
【００２９】
（１）本発明の第１実施形態および第２実施形態に係る鋼矢板の打設方法における共通事項
図１は、本発明の第１実施形態および第２実施形態に係る鋼矢板の打設方法を用いて打設を行う直線形鋼矢板２０の打設位置および配置状況を模式的に示す平面図である。図２は、直線形鋼矢板２０の幅方向断面を示す拡大断面図である。図１において補助Ｈ鋼３０の上方に付した数字は、直線形鋼矢板２０を打設する各打設位置を示している。
【００３０】
以下では、直線形鋼矢板２０の打設を、隣り合うサドルプレート２３の間の打設位置１〜１３において行って、アーク矢板２２の構築を行う場合を取り上げて、本発明の第１実施形態および第２実施形態に係る鋼矢板の打設方法を説明する。アーク矢板２２は、隣り合うサドルプレート２３の間の打設位置１〜１３に直線形鋼矢板２０を打設することによって構築される。サドルプレート２３は、打設位置１〜１３に直線形鋼矢板２０を打設する前に所定の位置に打設されている。したがって、打設位置１〜１３に打設する直線形鋼矢板２０の両端部の位置（打設位置１、１３に打設する直線形鋼矢板２０のサドルプレート２３と嵌合する継手部２０Ａの位置）は、打設位置１〜１３に直線形鋼矢板２０を打設する前に予め決められている。
【００３１】
直線形鋼矢板２０は、図２に示すように、幅方向の両方の端部に継手部２０Ａを備えている。また、打設位置１〜１３に打設される直線形鋼矢板２０は、図２に示すように、その背面（埋立側の面）には、補助Ｈ鋼３０が、取り付け治具３２を介してそれぞれ取り付けられている。取り付け治具３２は直線形鋼矢板２０の背面（埋立側の面）に溶接で取り付けられている。直線形鋼矢板２０の形状は、幅Ｗ＝５００ｍｍ、長さＬ＝２２ｍ、厚さｔ＝９．５ｍｍであり、弱軸回りの曲げ剛性が小さく、そのため、直線形鋼矢板２０は、打設時に弱軸回りに変形するおそれがある。図３は、直線形鋼矢板２０についての弱軸回りの方向および強軸回りの方向を模式的に示した図である。弱軸回りの変形を防止するため、直線形鋼矢板２０の曲げ剛性を補う補助Ｈ鋼３０を介して鉛直方向下向きの力を直線形鋼矢板２０に加えて打設するようにしている。ただし、地盤条件によっては、補助Ｈ鋼３０を用いなくても直線形鋼矢板２０を適切に打設できる場合もある。このような場合は、補助Ｈ鋼３０を用いることは不要である。また、地盤条件によっては、補助Ｈ鋼３０を用いるだけでなく、さらに、ウォータージェットを併用した方が適切な場合がある。このような場合にはウォータージェットを併用してもよい。
【００３２】
図４は、図２および図５のＩＶ−ＩＶ線断面図であり、取り付け治具３２の部位を拡大して示す拡大側断面図である。図５は、図２および図４のＶ−Ｖ線断面図であり、取り付け治具３２の部位を拡大して示す拡大正断面図である。
【００３３】
図４、図５に示すように、補助Ｈ鋼３０のフランジ３０Ａには、取り付け治具３２と係合する切り欠き３０Ａ１が設けられている。切り欠き３０Ａ１の上辺部が取り付け治具３２と係合して、鉛直方向下向きの力が、補助Ｈ鋼３０から取り付け治具３２を介して直線形鋼矢板２０に伝達できるようになっている。一方、補助Ｈ鋼３０を上方に引き抜く際には、取り付け治具３２は切り欠き３０Ａ１と係合しないので、直線形鋼矢板２０の打設完了後に補助Ｈ鋼３０を上方に引き抜いて撤去できるようになっている。なお、図４、図５において、符号３０Ｂは、補助Ｈ鋼３０のウェブを示している。
【００３４】
図４、図５に示す取り付け治具３２は、直線形鋼矢板２０の長手方向の異なる複数の中間部（上端と下端以外の部位であり、例えば、直線形鋼矢板２０の全長の３分の１の地点および３分の２の地点）に設けられている。直線形鋼矢板２０の上端と下端に設けられている取り付け治具（図示せず）は、取り付け治具３２と形状が異なる。直線形鋼矢板２０の上端に設けられている取り付け治具は、上向きの力を補助Ｈ鋼３０から直線形鋼矢板２０に伝達できるようになっており、かつ、直線形鋼矢板２０からの取り外しも容易に行えるようになっている。直線形鋼矢板２０の下端に設けられている取り付け治具は、下向きの力のみを直線形鋼矢板２０に伝達できるようになっている。
【００３５】
図６は、４つの直線形鋼矢板２０が、継手部２０Ａを介してお互いに連結している状況を示す幅方向断面図である。図６に示すように、直線形鋼矢板２０同士は一列状に連結しており、土圧等の外力に対してフープテンション（嵌合している矢板列の面内周方向引張力）で抵抗することができるようになっている。したがって、直線形鋼矢板２０の継手部２０Ａの遊びは、８ｍｍ以上１２ｍｍ以下と小さく設定されている。ここで、直線形鋼矢板２０の継手部２０Ａの遊びとは、連結される２つの直線形鋼矢板２０の幅方向の嵌合余裕代のことであり、具体的には、継手部２０Ａでお互いに連結された２つの直線形鋼矢板２０に、幅方向に引張力を加えた場合と幅方向に圧縮力を加えた場合における、連結された２つの直線形鋼矢板２０の幅方向の長さの差のことである。
【００３６】
なお、図６においては、補助Ｈ鋼３０等の記載は省略している。
【００３７】
（２）本発明の第１実施形態に係る鋼矢板の打設方法の手順
図７〜図１２は本発明の第１実施形態に係る鋼矢板の打設方法の特徴的な各段階を模式的に示す図である。図７〜図１２において、各直線形鋼矢板２０または各ガイド矢板２４の上方に記載した数字は、直線形鋼矢板２０を打設する各打設位置（図１参照）を示している。本第１実施形態に係る鋼矢板の打設方法を実施する地点の海底面の深さは、海面から６．５ｍである。また、本第１実施形態に係る鋼矢板の打設方法を実施するに当たり、海面から１〜１．５ｍの高さ位置に、作業者が作業する足場面の高さが位置するように、足場を構築している。なお、図７〜図１２においては、補助Ｈ鋼３０等の記載は省略しており、また、以降に記載する図１４〜図２３についても同様である。
【００３８】
図７は、先行打設工程を実施した後の状態を模式的に示す図である。
【００３９】
先行打設工程では、打設位置１〜１３のうち、両端部に位置する打設位置１、１３をそれぞれ含むとともに、打設位置１、１３から一列状に並んだ打設位置１〜１３の中央部に向かってそれぞれ４つの打設位置を含む２つの端部領域（打設位置１〜４の端部領域と打設位置１０〜１３の端部領域）について本設の直線形鋼矢板２０を先行して打設する。
【００４０】
詳細には、この先行打設工程では、打設位置１〜４の端部領域について、打設位置１、２、３、４の順に片押しで、直線形鋼矢板２０を所定の深さまで地盤８０に打設するととともに、打設位置１０〜１３の端部領域について、打設位置１３、１２、１１、１０の順に片押しで、直線形鋼矢板２０を所定の深さまで地盤８０に打設する。両端部に位置する打設位置１、１３に打設する直線形鋼矢板２０は、継手部２０Ａをサドルプレート２３に嵌合させて打設を行う。
【００４１】
先行打設工程で本設の直線形鋼矢板２０を所定の深さまで地盤８０に打設する際には、例えば、バイブロハンマを用いて打設を行うことができる。
【００４２】
この先行打設工程が終了した段階（図７に示す状態）では、２つの端部領域（打設位置１〜４および１０〜１３）については直線形鋼矢板２０の打設が完了しているが、中央部領域（打設位置５〜９）については何も実施されていない状態である。
【００４３】
図８は、ガイド矢板配置工程を実施した後の状態を模式的に示す図である。
【００４４】
ガイド矢板配置工程では、先行打設工程の終了後（図７に示す状態の後）、中央部領域（打設位置５〜９）に、ガイド矢板２４を継手部２４Ａでお互いに連結させて一列状に複数（５つ）配置するとともに、一列状に複数（５つ）配置するガイド矢板２４のうち両端部（打設位置５、９）に配置するガイド矢板２４の継手部２４Ａを、先行打設工程で２つの端部領域（打設位置１〜４および１０〜１３）に先行して打設された直線形鋼矢板２０のうち一列状の中央部に向かう側の端部の直線形鋼矢板２０（打設位置４、１０に打設された直線形鋼矢板２０）の継手部２０Ａにそれぞれ連結させて配置する。ガイド矢板２４を所定の位置に配置する際には、例えば、クレーンに連結された吊下げ治具を用いて行うことができるが、本設の直線形鋼矢板２０を打設する際に用いるバイブロハンマのチャック装置を振動させずに用いてもよい。
【００４５】
ガイド矢板２４の幅方向断面の形状は、直線形鋼矢板２０の幅方向断面の形状と同一であり、ガイド矢板２４の幅方向の両方の端部には、幅方向断面の形状が直線形鋼矢板２０の継手部２０Ａと同一である継手部２４Ａが設けられている。ガイド矢板２４は、その長さが直線形鋼矢板２０の長さよりも短くなっている。具体的には、本第１実施形態で用いるガイド矢板２４の長さは、海底から海面上２．５ｍに達する長さであり、９ｍである。なお、前述したように、本第１実施形態に係る鋼矢板の打設方法を実施する地点の海底面の深さは、海面から６．５ｍである。
【００４６】
図１３は、４つのガイド矢板２４が、継手部２４Ａを介してお互いに連結している状況を示す幅方向断面図である。前述したように、ガイド矢板２４の幅方向断面の形状は、直線形鋼矢板２０の幅方向断面の形状と同一であるので、連結した４つのガイド矢板２４についての幅方向断面図（図１３）における輪郭線は、連結した４つの直線形鋼矢板２０についての幅方向断面図（図６）における輪郭線と同一である。
【００４７】
ガイド矢板２４は、本設の直線形鋼矢板２０の打設位置を事前に正確に把握するために用いる部材であり、地盤８０上に配置するだけで地盤８０に打設しないので、その配置位置の調整を容易に行うことができる。また、ガイド矢板２４は、海底面上に配置するだけで地盤８０に打設しないので、補助Ｈ鋼３０も不要である。また、本設の直線形鋼矢板２０の長さは２２ｍであるのに対し、ガイド矢板２４の長さは９ｍと短いので、この点からもガイド矢板２４は配置位置の調整を容易に行うことができる。
【００４８】
したがって、位置を微調整しながらガイド矢板２４を中央部領域（打設位置５〜９）に配置して、先行打設工程で打設位置１〜４および１０〜１３に打設した８つの本設の直線形鋼矢板２０と連結して閉合させることを、確実かつ容易に行うことができる。
【００４９】
また、前述したように、作業者が作業する足場面の高さ位置は、海面から１〜１．５ｍの高さ位置であるので、中央部領域（打設位置５〜９）に配置した長さ９ｍのガイド矢板２４の上端の高さ位置は、作業者が作業する足場面の高さ位置よりも１〜１．５ｍ上方の高さ位置である。したがって、すでに配置したガイド矢板２４の隣の位置に別のガイド矢板２４を配置する際、隣り合うガイド矢板２４の継手部２４Ａ同士を嵌合させる作業を作業者が行いやすくなっている。
【００５０】
図９〜図１２は、置き換え打設工程を実施している各段階の状態を模式的に示す図である。
【００５１】
置き換え打設工程では、ガイド矢板配置工程の終了後（図８に示す状態の後）、中央部領域（打設位置５〜９）に配置したガイド矢板２４を本設の直線形鋼矢板２０に順次置き換えて打設する。ガイド矢板配置工程で、ガイド矢板２４が中央部領域（打設位置５〜９）に適切に配置されて、先行打設工程で打設位置１〜４および１０〜１３に打設した８つの本設の直線形鋼矢板２０と適切に連結して閉合しているので、そのガイド矢板２４と順次置き換えて本設の直線形鋼矢板２０を打設すれば、打設位置５〜９の本設の直線形鋼矢板２０も必然的に適切な位置に打設されて打設精度が向上し、先行打設工程で打設位置１〜４および１０〜１３に打設した８つの本設の直線形鋼矢板２０と適切に連結して閉合して、アーク矢板２２を確実に形成することができる。
【００５２】
置き換え打設工程では、ガイド矢板配置工程の終了後（図８に示す状態の後）、まず図９に示すように、１つ飛ばしの位置である打設位置５、７、９に配置したガイド矢板２４を本設の直線形鋼矢板２０に置き換える。
【００５３】
次に、図１０に示すように、１つ飛ばしの位置である打設位置５、７、９に配置した本設の直線形鋼矢板２０を地盤８０に所定の深さまで順次打設する。
【００５４】
次に、図１１に示すように、１つ飛ばしの位置である残りの打設位置６、８に配置したガイド矢板２４を本設の直線形鋼矢板２０に置き換える。
【００５５】
次に、図１２に示すように、１つ飛ばしの位置である打設位置６、８に配置した本設の直線形鋼矢板２０を地盤８０に所定の深さまで順次打設する。
【００５６】
置き換え打設工程で本設の直線形鋼矢板２０を所定の深さまで地盤８０に打設する際も、先行打設工程と同様に、例えば、バイブロハンマを用いて打設を行うことができる。
【００５７】
本第１実施形態に係る鋼矢板の打設方法の置き換え打設工程で、１つ飛ばしの打設位置について、順次、本設の直線形鋼矢板２０の打設を行っていくので、バイブロハンマ等の打設機具類と打設が完了していない本設の直線形鋼矢板２０との干渉が生じないようにすることができ、本設の直線形鋼矢板２０を一気に所定の深さまで打設することができる。
【００５８】
打設位置５〜９のそれぞれについて、いちどきにガイド矢板２４から直線形鋼矢板２０に置き換えると、置き換えた直線形鋼矢板２０の打設を行う際に、打設が完了していない隣の直線形鋼矢板２０と打設機具類に干渉が生じてしまい、置き換えた直線形鋼矢板２０を一気に所定の深さまで打設することができなくなる場合がある。このような場合には、打設位置５〜９のそれぞれの直線形鋼矢板２０を、順次、干渉が生じない範囲内で少しずつ打設していく必要がある。
【００５９】
非特許文献２で報告されている工事では、ガイド矢板２４は用いておらず、図１４に模式的に示すように、長さ２２ｍの本設の直線形鋼矢板２０を、打設位置５〜９において海底面に深さ８ｍだけ仮に打設して建て込んだが、打設位置５〜９の海底面は、海面からの深さが６．５ｍであり、建て込む際には、海面から７．５ｍの高さ位置である仮下げ天端で本設の直線形鋼矢板２０の継手部２０Ａを相互に嵌合させる必要があった。この作業は高所作業であり、打設位置５〜９に本設の直線形鋼矢板２０を建て込むだけでも困難を伴った。一方、打設位置５〜９に建て込んだ直線形鋼矢板２０を打設する際には、打設が完了していない隣の直線形鋼矢板２０と打設機具類に干渉が生じてしまうため、図１５に模式的に示すように、両端の直線形鋼矢板２０（打設位置５、９の直線形鋼矢板２０）から順に干渉が生じない範囲内で少しずつ（３００ｍｍずつ）打ち下げる作業を繰り返し、所定の深度まで打ち込むことを実現しており、施工効率は良好であるとは言えない。
【００６０】
これに対し、本第１実施形態に係る鋼矢板の打設方法の置き換え打設工程では、前述したように、１つ飛ばしの打設位置について、順次、本設の直線形鋼矢板２０の打設を行っていくので、バイブロハンマ等の打設機具類と打設が完了していない本設の直線形鋼矢板２０との干渉が生じないようにすることができ、打設位置５〜９の本設の直線形鋼矢板２０を一気に所定の深さまで打設することができる。
【００６１】
１つ飛ばしの打設位置について、順次、打設位置５〜９の本設の直線形鋼矢板２０の打設を行っていく場合でも、直線形鋼矢板２０を一気に所定の深さまで打設すると、打設が完了していない本設の直線形鋼矢板２０と打設機具類に干渉が生じてしまう場合には、２つ飛ばしの打設位置について、順次、本設の直線形鋼矢板２０の置き換えと打設を行っていくようにしてもよい。これについては、第２実施形態として次に説明する。
【００６２】
（３）本発明の第２実施形態に係る鋼矢板の打設方法の手順
本発明の第２実施形態に係る鋼矢板の打設方法は、置き換え打設工程で、２つ飛ばしの打設位置について、順次、本設の直線形鋼矢板２０の置き換えと打設を行っていく点が、本発明の第１実施形態に係る鋼矢板の打設方法と異なり、それ以外の点については本発明の第１実施形態に係る鋼矢板の打設方法と同様であり、用いる直線形鋼矢板２０およびガイド矢板２４も同一である。本発明の第１実施形態に係る鋼矢板の打設方法と同様の内容については、説明を省略するか、あるいは簡略化して説明する。
【００６３】
図１６〜図２３は本発明の第２実施形態に係る鋼矢板の打設方法の特徴的な各段階を模式的に示す図である。
【００６４】
図１６は、先行打設工程を実施した後の状態を模式的に示す図であり、第１実施形態に係る鋼矢板の打設方法の説明に用いた図７と同一であり、本第２実施形態に係る鋼矢板の打設方法における先行打設工程の内容は第１実施形態に係る鋼矢板の打設方法と同様であるので、説明は省略する。
【００６５】
図１７は、ガイド矢板配置工程を実施した後の状態を模式的に示す図であり、第１実施形態に係る鋼矢板の打設方法の説明に用いた図８と同一であり、本第２実施形態に係る鋼矢板の打設方法におけるガイド矢板配置工程の内容は第１実施形態に係る鋼矢板の打設方法と同様であるので、説明は省略する。
【００６６】
図１８〜図２３は、置き換え打設工程を実施している各段階の状態を模式的に示す図である。
【００６７】
置き換え打設工程では、ガイド矢板配置工程の終了後（図１７に示す状態の後）、中央部領域（打設位置５〜９）に配置したガイド矢板２４を本設の直線形鋼矢板２０に順次置き換えて打設する。ガイド矢板配置工程で、ガイド矢板２４が中央部領域（打設位置５〜９）に適切に配置されて、先行打設工程で打設位置１〜４および１０〜１３に打設した８つの本設の直線形鋼矢板２０と適切に連結して閉合しているので、そのガイド矢板２４と順次置き換えて本設の直線形鋼矢板２０を打設すれば、打設位置５〜９の本設の直線形鋼矢板２０も必然的に適切な位置に打設されて打設精度が向上し、先行打設工程で打設位置１〜４および１０〜１３に打設した８つの本設の直線形鋼矢板２０と適切に連結して閉合して、アーク矢板２２を確実に形成することができる。
【００６８】
置き換え打設工程では、ガイド矢板配置工程の終了後（図１７に示す状態の後）、まず図１８に示すように、２つ飛ばしの位置である打設位置５、８に配置したガイド矢板２４を本設の直線形鋼矢板２０に置き換える。
【００６９】
次に、図１９に示すように、２つ飛ばしの位置である打設位置５、８に配置した本設の直線形鋼矢板２０を地盤８０に所定の深さまで順次打設する。
【００７０】
次に、図２０に示すように、２つ飛ばしの位置である打設位置６、９に配置したガイド矢板２４を本設の直線形鋼矢板２０に置き換える。
【００７１】
次に、図２１に示すように、２つ飛ばしの位置である打設位置６、９に配置した本設の直線形鋼矢板２０を地盤８０に所定の深さまで打設する。
【００７２】
次に、図２２に示すように、残った打設位置７に配置したガイド矢板２４を本設の直線形鋼矢板２０に置き換える。
【００７３】
次に、図２３に示すように、残った打設位置７に配置した本設の直線形鋼矢板２０を地盤８０に所定の深さまで打設する。
【００７４】
置き換え打設工程で本設の直線形鋼矢板２０を所定の深さまで地盤８０に打設する際も、先行打設工程と同様に、例えば、バイブロハンマを用いて打設を行うことができる。
【００７５】
本第２実施形態に係る鋼矢板の打設方法の置き換え打設工程では、２つ飛ばしの打設位置について、順次、本設の直線形鋼矢板２０の打設を行っていくので、バイブロハンマ等の打設機具類と打設が完了していない本設の直線形鋼矢板２０との干渉が生じないようにすることができ、本設の直線形鋼矢板２０を一気に所定の深さまで打設することができる。
【００７６】
（４）ガイド矢板の効果
前述したように、ガイド矢板２４は、本設の直線形鋼矢板２０の打設位置を事前に正確に把握するために用いる部材であり、海底面上に配置するだけで地盤８０に打設しないので、その配置位置の調整を容易に行うことができる。また、本設の直線形鋼矢板２０の長さは２２ｍであるのに対し、ガイド矢板２４の長さは９ｍと短いので、この点からもガイド矢板２４は配置位置の調整を容易に行うことができる。
【００７７】
したがって、位置を微調整しながらガイド矢板２４を中央部領域（打設位置５〜９）に配置して、先行打設工程で打設位置１〜４および１０〜１３に打設した８つの本設の直線形鋼矢板２０と連結して閉合させることを、確実かつ容易に行うことができる。このため、ガイド矢板２４と置き換えて本設の直線形鋼矢板２０を打設することにより打設精度が向上し、本設の直線形鋼矢板２０の位置を打設後に調整する手戻りを少なくすることができ、施工効率が大幅に向上する。
【００７８】
また、前述したように、作業者が作業する足場面の高さ位置は、海面から１〜１．５ｍの高さ位置であるので、中央部領域（打設位置５〜９）に配置した長さ９ｍのガイド矢板２４の上端の高さ位置は、作業者が作業する足場面の高さ位置よりも１〜１．５ｍ上方の高さ位置である。したがって、すでに配置したガイド矢板２４の隣の位置に別のガイド矢板２４を配置する際、隣り合うガイド矢板２４の継手部２４Ａ同士を嵌合させる作業を作業者が行いやすくなっている。
【００７９】
また、本発明の第１実施形態および第２実施形態に係る鋼矢板の打設方法における置き換え打設工程の図９〜図１２および図１８〜図２３から明らかなように、打設位置５〜９においてガイド矢板２４から置き換えた本設の直線形鋼矢板２０は、両側をガイド矢板２４または直線形鋼矢板２０のいずれかによって保持された状態で打設される。このため、適切な位置を保持させたまま、置き換えた本設の直線形鋼矢板２０の打設を行うことができる。このため、隣接する本設の直線形鋼矢板２０との摩擦も減るので、共下がり量を減らすこともでき、この点でも施工効率が向上する。
【００８０】
また、前述したように、アーク矢板２２を形成する直線形鋼矢板２０は、土圧等の外力に対してフープテンション（嵌合している矢板列の面内周方向引張力）で抵抗することができるようになっているため、直線形鋼矢板２０の継手部２０Ａの遊びは、８ｍｍ以上１２ｍｍ以下と小さく設定されている。しかしながら、ガイド矢板２４を用いることにより、適切な打設位置を予め設定することができるので、直線形鋼矢板２０の継手部２０Ａの遊びが前記したように小さくても、問題は生じにくい。
【００８１】
また、本発明に係る鋼矢板の打設方法で用いるガイド矢板の効果が特に重要になる場合は、複数打設する鋼矢板の両端部の位置が予め決められている場合である。このような場合に鋼矢板の打設位置にずれが生じると、所定の枚数の鋼矢板を閉合するように打設することが困難になることがある。したがって、複数打設する鋼矢板の両端部の位置が予め決められている場合には、本設の鋼矢板の打設位置が閉合できる打設位置となるように予めガイド矢板を用いて定めておくという効果が特に重要になる。
【００８２】
なお、本発明に係る鋼矢板の打設方法で用いるガイド矢板は、アーク状に複数の鋼矢板を打設する場合だけでなく、直線状に複数の鋼矢板を打設する場合にも用いることができ、本発明に係る鋼矢板の打設方法は、複数の鋼矢板を曲線状に打設する場合でも、直線状に打設する場合でも用いることができる。
【符号の説明】
【００８３】
１〜１３…打設位置
２０、１０２…直線形鋼矢板
２０Ａ、２４Ａ…継手部
２２、１０４…アーク矢板
２３、１０６…サドルプレート
２４…ガイド矢板
３０…補助Ｈ鋼
３０Ａ…フランジ
３０Ａ１…切り欠き
３０Ｂ…ウェブ
３２…取り付け治具
８０…地盤
１００…土留め壁
２００、３００…ジャケット式桟橋
【図１】
2019056227.tif 000003
【図２】
2019056227.tif 000004
【図３】
2019056227.tif 000005
【図４】
2019056227.tif 000006
【図５】
2019056227.tif 000007
【図６】
2019056227.tif 000008
【図７】
2019056227.tif 000009
【図８】
2019056227.tif 000010
【図９】
2019056227.tif 000011
【図１０】
2019056227.tif 000012
【図１１】
2019056227.tif 000013
【図１２】
2019056227.tif 000014
【図１３】
2019056227.tif 000015
【図１４】
2019056227.tif 000016
【図１５】
2019056227.tif 000017
【図１６】
2019056227.tif 000018
【図１７】
2019056227.tif 000019
【図１８】
2019056227.tif 000020
【図１９】
2019056227.tif 000021
【図２０】
2019056227.tif 000022
【図２１】
2019056227.tif 000023
【図２２】
2019056227.tif 000024
【図２３】
2019056227.tif 000025
【図２４】
2019056227.tif 000026
【手続補正書】
【提出日】平成29年12月19日(2017.12.19)
【手続補正１】
【補正対象書類名】特許請求の範囲
【補正対象項目名】全文
【補正方法】変更
【補正の内容】
【特許請求の範囲】
【請求項１】
幅方向の両方の端部に継手部を備えた鋼矢板を、前記継手部でお互いに連結させて一列状に複数打設する鋼矢板の打設方法であって、
一列状に複数打設する鋼矢板のうち、それらの両端部に位置する鋼矢板をそれぞれ含むとともに、それらの両端部から前記一列状の中央部に向かってそれぞれ所定の枚数の鋼矢板を含む２つの端部領域の鋼矢板を他の領域より先行して打設する先行打設工程と、
前記先行打設工程で先行して打設された前記鋼矢板の長さよりも長さが短く、かつ、幅方向の両方の端部に継手部を備えたガイド矢板を、前記２つの端部領域の間に位置する中央部領域に、前記ガイド矢板の前記継手部でお互いに連結させて地盤上に一列状に複数配置するとともに、一列状に複数配置する前記ガイド矢板のうち両端部に配置する前記ガイド矢板の前記継手部を、前記２つの端部領域に先行して打設された前記鋼矢板のうち前記一列状の中央部に向かう側の端部の鋼矢板の前記継手部にそれぞれ連結させて配置するガイド矢板配置工程と、
前記ガイド矢板配置工程で配置した前記複数のガイド矢板を、幅方向断面が前記ガイド矢板と略同一である本設の鋼矢板に順次置き換えて打設する置き換え打設工程と、
を有し、
前記先行打設工程では前記ガイド矢板は用いずに前記鋼矢板を打設し、
前記ガイド矢板配置工程で配置した前記ガイド矢板は地盤上に配置するだけで打設はしないことを特徴とする鋼矢板の打設方法。
【請求項２】
前記一列状に複数打設する鋼矢板の幅方向断面は、略同一であることを特徴とする請求項１に記載の鋼矢板の打設方法。
【請求項３】
前記置き換え打設工程においては、前記ガイド矢板配置工程で配置した前記複数のガイド矢板のうちの一部のガイド矢板であってお互いに隣り合っていないガイド矢板を選んで前記本設の鋼矢板に置き換えて打設する工程が含まれていることを特徴とする請求項１または２に記載の鋼矢板の打設方法。
【請求項４】
前記置き換え打設工程においては、前記ガイド矢板配置工程で配置した前記複数のガイド矢板のうちの一部のガイド矢板であって１つ飛ばしに配置されたガイド矢板を選んで前記本設の鋼矢板に置き換えて打設する工程が含まれていることを特徴とする請求項３に記載の鋼矢板の打設方法。
【請求項５】
前記置き換え打設工程においては、前記ガイド矢板配置工程で配置した前記複数のガイド矢板のうちの一部のガイド矢板であって２つ飛ばしに配置されたガイド矢板を選んで前記本設の鋼矢板に置き換えて打設する工程が含まれていることを特徴とする請求項３に記載の鋼矢板の打設方法。
【請求項６】
前記一列状に複数打設する鋼矢板の両端部の位置は、予め決められていることを特徴とする請求項１〜５のいずれかに記載の鋼矢板の打設方法。
【請求項７】
前記鋼矢板の幅方向断面は、略直線形状であることを特徴とする請求項１〜６のいずれかに記載の鋼矢板の打設方法。
【請求項８】
前記一列状に複数打設する鋼矢板のうちの少なくとも一部の鋼矢板は、曲線状に列を形成していることを特徴とする請求項１〜７のいずれかに記載の鋼矢板の打設方法。
【請求項９】
前記鋼矢板の前記継手部の遊びが８ｍｍ以上１２ｍｍ以下であることを特徴とする請求項１〜８のいずれかに記載の鋼矢板の打設方法。
【請求項１０】
前記ガイド矢板が前記ガイド矢板配置工程で地盤上に配置された状態において、前記ガイド矢板の上端の高さ位置は、当該ガイド矢板に対して作業を行う作業者の足場面よりも１ｍ以上２ｍ以下だけ高い位置であることを特徴とする請求項１〜９のいずれかに記載の鋼矢板の打設方法。
【手続補正２】
【補正対象書類名】明細書
【補正対象項目名】０００９
【補正方法】変更
【補正の内容】
【０００９】
即ち、本発明に係る鋼矢板の打設方法は、幅方向の両方の端部に継手部を備えた鋼矢板を、前記継手部でお互いに連結させて一列状に複数打設する鋼矢板の打設方法であって、一列状に複数打設する鋼矢板のうち、それらの両端部に位置する鋼矢板をそれぞれ含むとともに、それらの両端部から前記一列状の中央部に向かってそれぞれ所定の枚数の鋼矢板を含む２つの端部領域の鋼矢板を他の領域より先行して打設する先行打設工程と、前記先行打設工程で先行して打設された前記鋼矢板の長さよりも長さが短く、かつ、幅方向の両方の端部に継手部を備えたガイド矢板を、前記２つの端部領域の間に位置する中央部領域に、前記ガイド矢板の前記継手部でお互いに連結させて地盤上に一列状に複数配置するとともに、一列状に複数配置する前記ガイド矢板のうち両端部に配置する前記ガイド矢板の前記継手部を、前記２つの端部領域に先行して打設された前記鋼矢板のうち前記一列状の中央部に向かう側の端部の鋼矢板の前記継手部にそれぞれ連結させて配置するガイド矢板配置工程と、前記ガイド矢板配置工程で配置した前記複数のガイド矢板を、幅方向断面が前記ガイド矢板と略同一である本設の鋼矢板に順次置き換えて打設する置き換え打設工程と、を有し、前記先行打設工程では前記ガイド矢板は用いずに前記鋼矢板を打設し、前記ガイド矢板配置工程で配置した前記ガイド矢板は地盤上に配置するだけで打設はしないことを特徴とする鋼矢板の打設方法である。
【手続補正３】
【補正対象書類名】明細書
【補正対象項目名】００２５
【補正方法】変更
【補正の内容】
【００２５】
前記ガイド矢板が前記ガイド矢板配置工程で地盤上に配置された状態において、前記ガイド矢板の上端の高さ位置は、当該ガイド矢板に対して作業を行う作業者の足場面よりも１ｍ以上２ｍ以下だけ高い位置であることが好ましい。